(57)【要約】【課題】防水コネクタを用いることなく簡単な構造で、隣接する端子収容室間での水侵入を防いでリークの発生を防止する。【解決手段】コネクタ１０の端子が挿入されない空きの端子収容室１３Ｅに電線挿入側開口から挿入係止する挿入部２と、挿入部２に連続して電線挿入側開口より外方に突出する突出部３と、突出部３の側縁より突出するリーク防止板部４とを備え、挿入部２は端子収容室１３Ｅの内面に設けた係止部１４と係止する被係止部５を有し、被係止部５を係止部１４に係止した状態でリーク防止板部４の内側端面４ａは端子収容室１３Ａと１３Ｂ、１３Ｂと１３Ｃを仕切る隔壁１２の電線挿入側端面１２ａに当接する構成としている。【選択図】図２
2014086175.tif 000002
【特許請求の範囲】
【請求項１】
コネクタの端子が挿入されない空きの端子収容室に電線挿入側開口から挿入係止する挿入部と、該挿入部に連続して前記電線挿入側開口より外方に突出する突出部と、該突出部の側縁より突出するリーク防止板部とを備え、
前記挿入部は前記端子収容室の内面に設けた係止部と係止する被係止部を有し、前記被係止部を係止部に係止した状態で前記リーク防止板部の内側端面は前記端子収容室を仕切る隔壁の電線挿入側端面に当接することを特徴とするコネクタのリーク防止用部材。
【請求項２】
前記挿入部および前記突出部は平板状または直方体とし、前記リーク防止板部は前記突出部の一側縁または両側縁の全長に沿って突出し、該リーク防止板部は突出部に対して直交方向および／または水平方向に突出させている請求項１に記載のコネクタのリーク防止用部材。
【請求項３】
前記直方体とした前記挿入部には４面に前記被係止部を設け、かつ、直方体とした前記突出部には、両側面部の上下両端縁から前記リーク防止板部を突出させている請求項２に記載のコネクタのリーク防止用部材。
【請求項４】
前記突出部に水抜き穴を設けている請求項１乃至請求項３のいずれか１項に記載のコネクタのリーク防止用部材。
【請求項５】
金属、樹脂またはゴムからなる請求項１乃至請求項４のいずれか１項に記載のコネクタのリーク防止用部材。
【発明の詳細な説明】
【技術分野】
【０００１】
本発明はコネクタのリーク防止用部材に関し、詳しくは、防水コネクタを用いることなく隣接する端子収容室間での水侵入を防いでリークの発生を防止するものである。
【背景技術】
【０００２】
自動車に配索されるワイヤハーネスの端末に取り付けられるコネクタが水濡れしやすい車室外等に配置されると、コネクタの電線挿入側において隣接する端子収容室間で水侵入が生じてリークが発生するおそれがある。そこで、従来は防水コネクタを用いて各端子収容室内への水の侵入を防止している。防水コネクタとしては、例えば、図７に示すように、防水コネクタ１００のハウジング１０１の前面側に複数の端子収容室１０２を並列させていると共に、背面側（電線挿入側）にゴム栓収容筒部１０３を設け、該ゴム栓収容筒部１０３には複数の電線挿通孔１０４ａを備えた一体式の防水ゴム栓１０４をシール状態で装着している［特開２００１−３５１７２４号公報（特許文献１）参照］。
【先行技術文献】
【特許文献】
【０００３】
【特許文献１】特開２００１−３５１７２４号公報
【発明の概要】
【発明が解決しようとする課題】
【０００４】
しかし、例えば図８に示すように、コネクタ１１０の隔壁１１１で仕切られた複数の端子収容室１１２Ａ、１１２Ｂ、１１２Ｃ、１１２Ｄ、１１２Ｅ、１１２Ｆのうち、隣接する端子収容室間での水侵入を防いでリークの発生を阻止しなければならないのが図中斜線で示す１１２Ａと１１２Ｂおよび１１２Ｂと１１２Ｃのみであるような場合に、コネクタ１１０全体を防水コネクタに取り換えてしまうのはコスト面で問題がある。
【０００５】
本発明は前記問題に鑑みてなされたもので、防水コネクタを用いることなく簡単な構造で、隣接する所定の端子収容室間での水侵入を防いでリークの発生を防止することを課題としている。
【課題を解決するための手段】
【０００６】
前記課題を解決するため、本発明は、コネクタの端子が挿入されない空きの端子収容室に電線挿入側開口から挿入係止する挿入部と、該挿入部に連続して前記電線挿入側開口より外方に突出する突出部と、該突出部の側縁より突出するリーク防止板部とを備え、
前記挿入部は前記端子収容室の内面に設けた係止部と係止する被係止部を有し、前記被係止部を係止部に係止した状態で前記リーク防止板部の内側端面は前記端子収容室を仕切る隔壁の電線挿入側端面に当接することを特徴とするコネクタのリーク防止用部材を提供している。
【０００７】
前記のように、本発明のリーク防止用部材は、空きの端子収容室に挿入係止する挿入部と、該挿入部に連続して電線挿入側開口より外方に突出する突出部と、該突出部の側縁より突出するリーク防止板部とを備え、前記挿入部を空きの端子収容室に挿入係止した状態で、端子収容室を仕切る隔壁の電線挿入側端面に前記リーク防止板部の内側端面を当接させる構成としている。よって、前記リーク防止板部により隣接する端子収容室を仕切る隔壁が電線挿入側の外方まで延長されることとなるため、前記隣接する端子収容室間での水侵入を効果的に防止することができる。
【０００８】
即ち、本発明のリーク防止用部材によれば、コネクタに前記挿入部を挿入係止できる空きの端子収容室さえあれば、該空きの端子収容室に隣接する端子収容室と、該端子収容室に隣接しかつ前記空きの端子収容室の斜め位置の端子収容室との間での水侵入を前記リーク防止板部によって容易に防止することができる。よって、コネクタ全体を防水コネクタに取り換えなくてもリークの発生を阻止することが可能となり、コストの増大を抑えることができる。また、リーク防止用部材の挿入部を空きの端子収容室に挿入係止するだけでよいため、リーク防止用部材のコネクタへの取り付け作業も容易に行うことができる。
【０００９】
前記挿入部および前記突出部は平板状または直方体とし、前記リーク防止板部は前記突出部の一側縁または両側縁の全長に沿って突出し、該リーク防止板部は突出部に対して直交方向および／または水平方向に突出させている。
【００１０】
前記挿入部および突出部を平板状とすることにより、容易かつ安価に製造することができる。また、前記挿入部を直方体とすることにより、挿入部を空きの端子収容室内に安定保持させやすく、結果的にリーク防止用部材の安定性も高めることができる。さらに、前記突出部も直方体とすることで、互いの水侵入を防止しなければならない隣接する端子収容室の数や位置に合わせたリーク防止板部の配置がしやすくなる。
【００１１】
また、前記直方体とした前記挿入部には４面に前記被係止部を設け、かつ、直方体とした前記突出部には、両側面部の上下両端縁から前記リーク防止板部を突出させていることが好ましい。
【００１２】
前記のように、直方体とした前記挿入部の４面に被係止部を設けておくことで、リーク防止用部材の取付方向を変更してリーク防止板部の突出方向を変えることも可能であるため、リーク防止用部材の汎用性を高めることができる。
【００１３】
また、前記突出部には水抜き穴を設けていることが好ましい。前記突出部に水抜き穴を設けることで、たとえリーク防止板部を越えて水が突出部側に侵入してきても、突出部に設けた水抜き穴を介して排水されるため、端子収容室内に水が侵入することが防止される。
【００１４】
本発明のリーク防止用部材は、金属、樹脂またはゴムのいずれで形成してもよい。即ち、前記挿入部、突出部およびリーク防止板部からなる全体を金属板を加工して一体的に設け、あるいは樹脂またはゴムで一体成形して設けてもよい。
【発明の効果】
【００１５】
前述したように、本発明のリーク防止用部材は、空きの端子収容室に挿入係止する挿入部と、該挿入部に連続して電線挿入側開口より外方に突出する突出室と、該突出部の側縁より突出するリーク防止板部とを備え、前記挿入部を空きの端子収容室に挿入係止した状態で、端子収容室を仕切る隔壁の電線挿入側端面に前記リーク防止板部の内側端面を当接させる構成としている。よって、前記リーク防止板部により隣接する端子収容室を仕切る隔壁が電線挿入側の外方まで延長されることとなるため、前記隣接する端子収容室間での水侵入を効果的に防止することができる。
【００１６】
即ち、本発明のリーク防止用部材によれば、端子が挿入されない空きの端子収容室さえあれば、該空きの端子収容室に隣接する端子収容室と、該端子収容室に隣接しかつ前記空きの端子収容室の斜め位置の端子収容室との間での水侵入を前記リーク防止板部によって容易に防止することができる。よって、コネクタ全体を防水コネクタに取り換えなくてもリークの発生を阻止することが可能となり、コストの増大を抑えることができる。
【図面の簡単な説明】
【００１７】
【図１】第１実施形態のリーク防止用部材を示す斜視図である。
【図２】コネクタにリーク防止用部材を取り付けた状態を示し、（Ａ）は斜視図、（Ｂ）は電線挿入側から見た正面図、（Ｃ）はＡ−Ａ線断面図である。
【図３】第１実施形態のリーク防止用部材の変形例を示す斜視図である。
【図４】（Ａ）は第２実施形態のリーク防止用部材を示す斜視図であり、（Ｂ）はコネクタにリーク防止用部材を取り付けた状態の電線挿入側から見た正面図である。
【図５】第２実施形態のリーク防止用部材の取付方向を変えてコネクタに取り付けた場合の電線挿入側から見た正面図である。
【図６】（Ａ）は第３実施形態のリーク防止用部材を示す斜視図であり、（Ｂ）はコネクタにリーク防止用部材を取り付けた状態の電線挿入側から見た正面図である。
【図７】従来例を示す図である。
【図８】従来例の問題点を示す説明図である。
【発明を実施するための形態】
【００１８】
以下、本発明の実施形態を図面を参照して説明する。
図１および図２は本発明の第１実施形態を示している。
本実施形態では、図２に示す非防水のコネクタ１０の隣接する所定の端子収容室間での水侵入を防止するために、図１に示すコネクタのリーク防止用部材１をコネクタ１０に取り付けている。
【００１９】
コネクタ１０のハウジング１１内には、図２（Ａ）、（Ｂ）に示すように、隔壁１２で仕切られた６個（２段３列）の端子収容室１３Ａ、１３Ｂ、１３Ｃ、１３Ｄ、１３Ｅ、１３Ｆを設け、各端子収容室１３は電線２０端末に圧着したメス端子２１を挿入係止する構造とされているが、本実施形態では下段中央の端子収容室１３Ｅを端子が挿入されない空きの端子収容室としている。また、本実施形態では上段の隣接する端子収容室１３Ａと１３Ｂ、１３Ｂと１３Ｃとの間での水侵入を防いでリークの発生を阻止する必要がある。
【００２０】
そこで、前記コネクタ１０に取り付けるコネクタのリーク防止用部材１は、前記空きの端子収容室１３Ｅに電線挿入側開口［図２（Ａ）手前側の開口］より挿入係止する挿入部２と、該挿入部２に連続して前記電線挿入側開口より外方に突出する突出部３と、該突出部３の両側縁より該突出部３に対して直交方向に突出する一対のリーク防止板部４とを備える構成とし、該リーク防止板部４は突出部３の両側縁の全長に沿って突出させている。  本実施形態ではリーク防止用部材１を金属板から形成し、挿入部２は金属板を折り曲げ加工して、空きの端子収容室１３Ｅに所定のクリアランスをもって挿入可能な四角筒形状としている一方、該挿入部２に連続する突出部３は平板状とし、その両側の平板部を直角に折り曲げ加工してリーク防止板部４を形成している。
【００２１】
前記挿入部２には、前記コネクタ１０の端子収容室１３の内面に設けた係止部（ランス）１４と係止する穴状の被係止部５を設けている。また、前記一対のリーク防止板部４で挟まれた前記突出部３の中央付近には水抜き穴６を設けている。
さらに、前記挿入部２を前記コネクタ１０下段中央の空きの端子収容室１３Ｅに挿入して被係止部５を係止部１４に係止した状態で、一対のリーク防止板部４の内側端面４ａを前記上段の端子収容室１３Ａと１３Ｂとを仕切る隔壁１２の電線挿入側端面１２ａおよび端子収容室１３Ｂと１３Ｃとを仕切る隔壁１２の電線挿入側端面１２ａにそれぞれ当接させる構成としている。
【００２２】
前記構成により、一対のリーク防止板部４によって、隣接する端子収容室１３Ａと１３Ｂとを仕切る隔壁１２および端子収容室１３Ｂと１３Ｃとを仕切る隔壁１２が電線挿入側の外方まで延長されることとなるため、隣接する端子収容室１３Ａ−１３Ｂ間、１３Ｂ−１３Ｃ間での水侵入を効果的に防止することができる。また、前記隣接する端子収容室間のみならず、斜め位置関係にある端子収容室１３Ｂ−１３Ｄ間、１３Ｂ−１３Ｆ間での水侵入も防止できる。さらに、前記突出部３には水抜き穴６を設けているため、たとえリーク防止板部４を越えて水が突出部３側に侵入してきても、突出部３に設けた水抜き穴６を介して排水されるため、端子収容室１３Ｂ内に水が侵入することもない。
【００２３】
即ち、本実施形態のリーク防止用部材１によれば、コネクタ１０に挿入部２を挿入係止できる空きの端子収容室１３Ｅさえあれば、該空きの端子収容室１３Ｅに隣接する端子収容室１３Ｂと、該端子収容室１３Ｂに隣接しかつ前記空きの端子収容室１３Ｅの斜め位置の端子収容室１３Ａ、１３Ｃとの間での水侵入を前記一対のリーク防止板部４によって容易に防止してリークの発生を阻止することが可能となる。よって、コネクタ１０全体を防水コネクタに取り換える必要がなくなり、コスト増大を抑えることができる。また、リーク防止用部材１の挿入部２を空きの端子収容室１３Ｅに挿入係止するだけでよいため、リーク防止用部材１のコネクタ１０への取り付け作業も容易に行える。
【００２４】
なお、本実施形態ではメス端子２１を挿入係止するコネクタ１０にリーク防止用部材１を取り付けているが、当然のことながら、オス端子を挿入係止するコネクタに本発明のリーク防止用部材を取り付けてもよい。
また、本実施形態では挿入部２を、金属板を折り曲げ加工した四角筒状としているが、図３に示すように挿入部２を平板状としてもよい。
【００２５】
図４は第２実施形態を示している。
本実施形態では、コネクタ１０のハウジング１１内に、図４（Ｂ）に示すように、隔壁１２で仕切られた９個（３段３列）の端子収容室１３Ａ、１３Ｂ、１３Ｃ、１３Ｄ、１３Ｅ、１３Ｆ、１３Ｇ、１３Ｈ、１３Ｉを設け、２段目中央の端子収容室１３Ｅを端子が挿入されない空きの端子収容室としている。また、本実施形態では第１列の隣接する端子収容室１３Ａと１３Ｄ、１３Ｄと１３Ｇの間および第３列の隣接する端子収容室１３Ｃと１３Ｆ、１３Ｆと１３Ｉの間での水侵入を防いでリークの発生を阻止する必要がある。
【００２６】
本実施形態ではリーク防止用部材１を樹脂成形品とし、挿入部２および突出部３を直方体としている。空き端子収容室１３Ｅに挿入係止される挿入部２に連続して電線挿入側開口より外方に突出させる突出部３には、空きの端子収容室１３Ｅを囲む隔壁１２の電線挿入側端縁に内側端縁を当接させる外縁部３ａを設けている。前記突出部３の両側面の上下両端縁より突出部３の全長に沿って、一対のリーク防止板部４Ａ、４Ｂを突出部３の上下面に対して水平方向に突出させている。
また、前記直方体の挿入部２には４面に溝状の被係止部５を設けていると共に、突出部３の上下面および両側面にはそれぞれ貫通する水抜き穴６を設けている。
【００２７】
前記リーク防止用部材１の挿入部２を空きの端子収容室１３Ｅに挿入係止して、一対のリーク防止板部４Ｂの内側端縁を前記第１列の端子収容室１３Ａと１３Ｄとを仕切る隔壁１２および端子収容室１３Ｄと１３Ｇとを仕切る隔壁１２の電線挿入側端面にそれぞれ当接させる構成としている。また、他方の一対のリーク防止板部４Ａの内側端縁を前記第３列の端子収容室１３Ｃと１３Ｆとを仕切る隔壁１２および端子収容室１３Ｆと１３Ｉとを仕切る隔壁１２の電線挿入側端面にそれぞれ当接させる構成としている。
【００２８】
前記構成により、一対のリーク防止板部４Ｂによって隣接する端子収容室１３Ａと１３Ｄとを仕切る隔壁１２および端子収容室１３Ｄと１３Ｇとを仕切る隔壁１２が電線挿入側の外方まで延長されることとなるため、隣接する端子収容室１３Ａ−１３Ｄ間、１３Ｄ−１３Ｇ間での水侵入を防止することができる。同様に、他方の一対のリーク防止板部４Ａによって隣接する端子収容室１３Ｃと１３Ｆとを仕切る隔壁１２および端子収容室１３Ｆと１３Ｉとを仕切る隔壁１２が電線挿入側の外方まで延長されることとなるため、隣接する端子収容室１３Ｃ−１３Ｆ間、１３Ｆ−１３Ｉ間での水侵入を防止することができる。また、前記隣接する端子収容室間のみならず、斜め位置関係にある端子収容室１３Ｄ−１３Ｂ間、１３Ｄ−１３Ｈ間、１３Ｆ−１３Ｂ間、１３Ｆ−１３Ｈ間での水侵入も防止できる。
【００２９】
さらに、前記のように、挿入部２の４面すべてに被係止部５を設けているため、リーク防止用部材１の上下を気にすることなくコネクタ１０に取り付けることができる。また、図５に示すように、リーク防止用部材１の取付方向を変えることもできるため、第１段の隣接する端子収容室１３Ａ−１３Ｂ間、１３Ｂ−１３Ｃ間、第３段の隣接する端子収容室１３Ｇ−１３Ｈ間、１３Ｈ−１３Ｉ間での水侵入を防止することもできる。
なお、本実施形態ではリーク防止用部材１を樹脂成形品としているが、ゴム成形品としてコネクタ１０との密着性を高めるようにしてもよい。
【００３０】
図６は第３実施形態を示している。
本実施形態では、リーク防止用部材１を取り付けるコネクタ１０は第２実施形態のコネクタ１０と同様とし、空きの端子収容室の位置も第２実施形態と同様、１３Ｅとしている。また、本実施形態では第２実施形態と同様、第１列の隣接する端子収容室１３Ａと１３Ｄ、１３Ｄと１３Ｇの間および第３列の隣接する端子収容室１３Ｃと１３Ｆ、１３Ｆと１３Ｉの間での水侵入を防ぐと共に、第１段の隣接する端子収容室１３Ａと１３Ｂ、１３Ｂと１３Ｃの間および第３段の隣接する端子収容室１３Ｇと１３Ｈ、１３Ｈと１３Ｉの間での水侵入も防いでリークの発生を阻止する必要がある。
【００３１】
そこで、リーク防止用部材１も第２実施形態と同様、突出部３の両側面の上下両端縁より、一対のリーク防止板部４Ａ、４Ｂを突出部３の上下面に対して水平方向に突出させていると共に、一対のリーク防止板部４Ｃ、４Ｄを突出部３の上下面に対して直交方向に突出させている。
【００３２】
前記リーク防止用部材１の挿入部２を空きの端子収容室１３Ｅに挿入係止し、第２実施形態と同様、一対の水平方向のリーク防止板部４Ｂの内側端縁を前記第１列の端子収容室１３Ａと１３Ｄとを仕切る隔壁１２および端子収容室１３Ｄと１３Ｇとを仕切る隔壁１２の電線挿入側端面にそれぞれ当接させる構成とし、他方の水平方向の一対のリーク防止板部４Ａの内側端縁を前記第３列の端子収容室１３Ｃと１３Ｆとを仕切る隔壁１２および端子収容室１３Ｆと１３Ｉとを仕切る隔壁１２の電線挿入側端面にそれぞれ当接させる構成としている。また、一対の直交方向のリーク防止板部４Ｃの内側端縁を前記第１段の端子収容室１３Ａと１３Ｂとを仕切る隔壁１２および端子収容室１３Ｂと１３Ｃとを仕切る隔壁１２の電線挿入側端面にそれぞれ当接させる構成とし、他方の直交方向の一対のリーク防止板部４Ｄの内側端縁を前記第３段の端子収容室１３Ｇと１３Ｈとを仕切る隔壁１２および端子収容室１３Ｈと１３Ｉとを仕切る隔壁１２の電線挿入側端面にそれぞれ当接させる構成としている。
【００３３】
前記構成により、第２実施形態と同様、隣接する端子収容室１３Ａ−１３Ｄ間、１３Ｄ−１３Ｇ間での水侵入を防止できると共に、隣接する端子収容室１３Ｃ−１３Ｆ間、１３Ｆ−１３Ｉ間での水侵入を防止できる。また、隣接する端子収容室１３Ａ−１３Ｂ間、１３Ｂ−１３Ｃ間での水侵入を防止できると共に、隣接する端子収容室１３Ｇ−１３Ｈ間、１３Ｈ−１３Ｉ間での水侵入を防止できる。
さらに、第２実施形態と同様、斜め位置関係にある端子収容室１３Ｄ−１３Ｂ間、１３Ｄ−１３Ｈ間、１３Ｆ−１３Ｂ間、１３Ｆ−１３Ｈ間での水侵入も防止できる。
【００３４】
本発明のコネクタのリーク防止用部材は前記第１〜第３実施形態に限定されるものでなく、互いの水侵入を防止しなければならない隣接する端子収容室の数や空きの端子収容室との位置関係等に応じてリーク防止板部の突出枚数や突出方向を適宜設定することができる。また、１つのコネクタに複数のリーク防止用部材を取り付けることもできる。
【符号の説明】
【００３５】
１  リーク防止用部材
２  挿入部
３  突出部
４  リーク防止板部
５  被係止部
６  水抜き穴
１０  コネクタ
１２  隔壁
１３（１３Ａ〜１３Ｉ）  端子収容室
１３Ｅ  空きの端子収容室
１４  係止部
２０  電線
【図１】
2014086175.tif 000003
【図２】
2014086175.tif 000004
【図３】
2014086175.tif 000005
【図４】
2014086175.tif 000006
【図５】
2014086175.tif 000007
【図６】
2014086175.tif 000008
【図７】
2014086175.tif 000009
【図８】
2014086175.tif 000010